(57)【要約】      （修正有）【課題】廃棄等処分予定の磁気記録媒体に書き込まれている磁気データを、個人で、短時間かつ確実に破壊等できる装置を提供する。【解決手段】磁気記録媒体に書き込まれている磁気データが、他の磁気に影響を受け、また、その磁気の強さによっては壊れてしまうこと利用し、磁気記録媒体及び同媒体を内蔵した機器等の外部から（コイルを用いる方法等で）発生させた磁気（磁気データを壊してしまう強さ）をあびせることにより磁気データを破壊等する。【選択図】なし【特許請求の範囲】
主として廃棄等処分予定の磁気記録媒体に記録されたデータの消去を目的として、磁気記録媒体（ハードディスク、フロッピーディスク、ビデオテープ、カセットテープ等）に対し、磁気記録媒体又は同媒体を内蔵するなどした機器等の外部から磁気をあびせ、磁気記録媒体に書き込まれている磁化方向（磁気データ）を破壊等する方法、また、その方法を用いた装置。
【発明の詳細な説明】
【技術分野】
【０００１】  この発明は、主として廃棄等処分予定の磁気記録媒体に記録されたデータの消去を目的として、フロッピーディスク等の磁気記録媒体に書き込まれている磁化方向「以下「磁気データ」という。）の破壊等の方法、また、その方法を用いた装置に関する。
【背景技術】
【０００２】  磁気記録媒体に書き込まれている磁気データの消去については、従来は、磁気記録媒体を用いた装置等（場合によっては、さらに、同装置等を作動させる機器・ソフト等）が正常に作動する環境を準備して、その上で「フォーマット」「削除」「消去」「録画」「録音」などの動作を実行して、同装置等を作動させて消去する方法が一般的である。（例えば、ウインドウズがインストールされたパソコンを使用して作成したフロッピーディスク内のデータを消去する場合、同様の環境のパソコン等を用いて、フロッピーディスクをフロッピーディスクドライブにセットして、ウインドウズ上の「フォーマット」「削除」などのコマンドを実行してフロッピーディスクドライブを作動させて、フロッピーディスク内の磁気データを消去したりなど。）
【発明の開示】
【発明が解決しようとする課題】
【０００３】  しかしながら、以上の技術によれば、次の理由等により、短時間かつ確実に磁気データを消去できない。
▲１▼磁気記録媒体に書き込まれている磁気データを消去するにあたって、その磁気記録媒体を使用できる（読み書きできる）環境を作り、さらに、その環境において磁気データを消去するための動作を実行させる必要があり、その環境作り等に手間がかかる。
（例えば、ハードディスク・フロッピーディスクならディスクドライブ・パソコン等、ビデオテープならビデオデッキ、カセットテープならカセットデッキをそれぞれ準備し、それらパソコン等の機器等が正常に作動する状態にし、その上で、それら機器等における「フォーマット」「削除」「消去」「録画」「録音」等の動作実行により磁気データを消去したりなど。）
▲２▼磁気記録媒体を用いた機器等を使用して磁気データを消去した場合、所要時間が長いものが多い。
（極端な例として、家庭用ビデオデッキを用いて１２０分のビデオテープの録画内容を消すのに、入力映像がない状態で１２０分間上書き録画して消去したりなど。）
▲３▼機器等で磁気記録媒体に書き込まれている磁気データを消去する動作を実行し、機器等上の表示においてはデータが消去されたような扱いになっていても、実際は磁気記録媒体上に磁気データが残っている場合がある。
磁気記録媒体に書き込まれている磁気データの消去は、上記のように、磁気記録媒体を用いた機器等上で、マニュアルに従って正規の方法で行うのが当たり前で、また、通常の使用範囲内においては、そのような方法を煩わしく思うことはないが、磁気記録媒体を廃棄処分等する際、素早く確実にデータを削除して、個人データの流失を防いだ上で処分したい場合、上記ような、いわゆる正当な方法では、データ消去において、あまりに手間や時間がかかるし、また確実性に欠けている。
そのようなことから、近頃は、パソコンのハードディスク内のデータ消去を依頼できるところもあるが、いくら企業等の組織が「個人データは絶対に流出しません。」旨謳っても、犯罪は、心ない人により個人レベルで行われるので、「絶対に流出しない。」ということは、残念ながらないのが現実である。
そこで、この発明は、主として、廃棄等処分予定の磁気記録媒体に書き込まれている磁気データを、個人で、短時間かつ確実に破壊等できる装置を提供することを課題とする。
【課題を解決するための手段】
【０００４】  以上の課題を解決するために、磁気記録媒体（ハードディスク、フロッピーディスク、ビデオテープ、カセットテープ等）に対し、磁気記録媒体及び同媒体を用いた機器等の外部から磁気をあびせて、磁気記録媒体に書き込まれている磁気データを破壊等する。
【発明の効果】
【０００５】  上記発明によれば、正規の方法、つまり、磁気ヘッド（磁気データを磁気ディスク等に書き込んだり、また、磁気ディスク等上の磁気データを読み出したりするもの）等を磁気ディスク等上を走行させ、機器等の正常な動作に従って消去等するのではなく、磁気記録媒体に書き込まれた磁気データが、外部からの磁気に影響を受け、また、その影響が大きいと破壊されることを用いて、磁気記録媒体の磁気ディスク等に直接磁気ヘッドを走行させるのではなく、（コイルを用いた方法等で）発生させた磁気をあびせるなどして、磁気ディスク等上の磁気データを破壊等するので、磁気記録媒体に書き込まれている磁気データに対し、瞬時に、さらに、全体的に作用するので、短時間かつ確実にデータを破壊等することができる。
【発明を実施するための最良の形態】
【０００６】  各磁気記録媒体により、それぞれ最良の形態は異なるかもしれないが、共通して言えるのは、磁気記録媒体に書き込まれている磁気データを破壊等させる強さの磁気を発生させ、その発生させた磁気を、効率よく磁気記録媒体にあびせられる形態。
また、磁気記録媒体に発生させた磁気をあびせる際は、磁気記録媒体を磁気記録媒体が内蔵された機器等から分解などして取り出したりすることなく、また、磁気ディスク等を同ディスク等が収められた容器等から取り出すことなく、そのような機器・容器等の外部から、その内部にある磁気記録媒体に対して、発生させた磁気をあびせられる形態。
（例えば、ハードディスクであれば、ハードディスクが多く採用されているパソコン・ハードディスクレコーダーに対して、パソコン等を分解などせずに、そのままの状態でパソコン等内のハードディスクに磁気をあびせられる形態、また、フロッピーディスク・カセットテープ・ビデオテープであれば、同ディスクや各テープから磁気ディスクや磁気テープの部分を取り出したりせずに、そのままの状態で磁気をあびせられる形態。）
さらに、上記発生させた磁気が対象物（破壊等したい磁気データが書き込まれている磁気記録媒体及び同媒体を用いた機器等）以外の周囲の機器等に影響をあたえないような形態や使い方。【０００７】「実施形態の効果」
磁気記録媒体に書き込まれている磁気データを破壊等させるにあたって、その磁気記録媒体を使用するための機器等を用いて作動させたりする必要がない。
磁気記録媒体上の磁気データは、発生させた磁気をあびると間もなく影響を受けるので、短時間で破壊等することができる。
磁気記録媒体に書き込まれている磁気データを破壊等するにあたり、磁気記録媒体そのもの、又は、磁気記録媒体を用いた機器等を分解・破壊することなく消滅させることができるので、資源リサイクル等に向けて磁気記録媒体や同媒体を用いた機器等を回収する際、磁気記録媒体の処分者から、フロッピーディスク（磁気記録媒体）やパソコン（磁気記録媒体を用いた機器）等を破壊・分解されることなく回収できる。
磁気記録媒体の処分者は、自分自身で、磁気記録媒体及び同媒体を用いた機器等を分解等することなく、磁気記録媒体に記録した個人データを短時間かつ確実に破壊等することが実現可能となる。